(57)【特許請求の範囲】
【請求項１】
正極板と負極板をセパレータを介して交互に積層して成る極板群を電槽内に圧縮状態で収容すると共に、矯正板を該電槽の両側壁の内反りを矯正するようにした密閉形鉛蓄電池において、該矯正板は該電槽の該両側壁の内面間に差し渡されるに適した長さ寸法を有する矩形板状であり、該矯正板とその下面の中間部に突設した肉厚の固定用部材とにより、矯正部材を構成し、その矯正板を正極ストラップ及び負極ストラップの上面に載置すると共に、その固定用部材を該正極ストラップ及び該負極ストラップの対向する内側面に圧接係合せしめて該矯正板の所定位置を固定したことを特徴とする密閉形鉛蓄電池。
【請求項２】
正極板と負極板をセパレータを介して交互に積層して成る極板群を電槽内に圧縮状態で収容すると共に、矯正板を該電槽の両側壁の内反りを矯正するようにした密閉形鉛蓄電池において、該矯正板とその下面に突設した固定用部材とにより、矯正部材を構成し、該矯正部材を一対のセパレート式の矯正部材に構成し、夫々の矯正部材の該矯正板を夫々対応する正極ストラップ及び負極ストラップの上面に夫々の矯正板の外端間の寸法が該電槽の該両側壁の内面間の寸法と一致するように載置すると共に、夫々の該矯正板の下面に突設した固定用部材を夫々対応する該正極ストラップの外側面及び該負極ストラップの外側面に係合せしめて該矯正板の所定位置を固定したことを特徴とする密閉形鉛蓄電池。
【請求項３】
夫々の矯正板の下面に突設した夫々の該固定用部材の下端から水平に突出せしめたリブを夫々対応する該正極ストラップの下面及び該負極ストラップの下面に臨ませたことを特徴とする請求項2に記載の密閉形鉛蓄電池。
【発明の詳細な説明】
【技術分野】
【０００１】
本発明は、極板群を収容した電槽と蓋とをヒートシールで密閉する式の密閉形鉛蓄電池に関する。
【背景技術】
【０００２】
従来の密閉形鉛蓄電池として、正極板と負極板とをセパレータを介し交互に積層して成る極板群を電槽内に所定の群圧で収容することにより、極板群に含浸した硫酸電解液を極板群内に均一に分布させ且つ負極で酸素を吸収することにより、長期に亘るメンテナンスフリー化が可能であり、通信機器や無停電電源装置等の非常時バックアップ電源に用いられるようにしたものが下記特許文献1に公知である。
しかし乍ら、極板群を電槽内に圧縮状態で収容すると、該電槽の極板群の圧迫を受けない両側壁が内側に反る現象がしばしば発生するため、該電槽の開口四周端縁とこれに施される蓋の四周下端縁との位置合わせ、即ち、整合が得られず、従って、両者の四周端縁の良好なヒートシールが得られない問題があることに着目し、先に出願人は、下記特許文献2において、この課題を解決した密閉形鉛蓄電池を提案した。その解決手段は、電槽の上記の両側壁の内反りを矯正する矯正部材を設けたことである。更に詳細には、該特許文献2の実施形態及び図1の記載に明らかなように、該電槽の該両側壁の内面間の寸法に一致する或いは少し短い寸法の長さを有する矯正部材5を正極ストラップ及び負極ストラップの上面に架設すると共に、その両端を該両側壁の内面に当接することにより、その内反りを簡単且つ効果的に矯正することができ、その結果、該電槽と蓋との位置合わせを容易にできるようにし、上記従来の課題を解決したものである。
【先行技術文献】
【特許文献】
【０００３】
【特許文献１】特開平10-334940号公報
【特許文献２】特開2005-71663号公報
【発明の概要】
【発明が解決しようとする課題】
【０００４】
しかし乍ら、極板群を電槽内に圧縮状態で収容したとき、特許文献2の図3に示すように、該両側壁の内反りの度合いが等しいこともあるが、不等同の場合がしばしば生じ、本願の図5に例示するように、一方の側壁の内反りが大きく、他方の側壁の内反りが小さい場合、或いはその逆の場合に、該矯正部材は、内反りの大きい側壁により押されて内反りの小さい側壁の方向に移動し、所定位置からずれ、本来の矯正作用を失い、或いはその内反りの小さい側壁を外方に反るような結果をもたらすことがあり、該両側壁の矯正を常に確実に行うことができない課題を有することが判明した。
本発明は、極板群を圧縮状態で収容した電槽の両側壁の内反りの矯正を確保でき、常に電槽と蓋の整合性を確保でき、従って、両者の安定良好なヒートシールを行うことができるようにし、良好な密閉形鉛蓄電池を提供することを目的とする。
【課題を解決するための手段】
【０００５】
本発明は、請求項1に記載の通り、正極板と負極板をセパレータを介して交互に積層して成る極板群を電槽内に圧縮状態で収容すると共に、矯正板を該電槽の両側壁の内反りを矯正するようにした密閉形鉛蓄電池において、該矯正板の下面に突設した固定用部材とにより、矯正部材を構成し、その固定用部材を正極ストラップの側面と負極ストラップの側面に係合せしめて該矯正板の所定位置を固定したことを特徴とする密閉形鉛蓄電池に存する。
更に本発明は、請求項1に記載の密閉形鉛蓄電池において、該矯正部材を該電槽の該両側壁の内面間に差し渡されるに適した長さ寸法を有する矩形状板の矯正板とその下面の左右端部に夫々突設した該固定用部材とにより構成し、その矯正板を該正極ストラップ及び該負極ストラップの上面に載置すると共にその左右の該固定用部材を夫々対応する該正極ストラップの側面及び該負極ストラップの側面に係合せしめたことを特徴とする。
更に本発明は、請求項1に記載の密閉形鉛蓄電池において、該矯正部材を該電槽の該両側壁の内面間に差し渡されるに適した長さ寸法を有する矩形板状の該矯正板と、その下面の中間部に突設した肉厚の該固定用部材とにより構成し、その矯正板を該正極ストラップ及び該負極ストラップの上面に載置すると共に、その固定用部材を該正極ストラップ及び負極ストラップの対向する内側面に圧接係合せしめたことを特徴とする。
更に本発明は、請求項1に記載の密閉形鉛蓄電池において、該矯正部材を一対のセパレート式の矯正部材に構成し、夫々の矯正部材の該矯正板を夫々対応する該正極ストラップ及び該負極ストラップの上面に夫々の矯正板の外端間の寸法が該電槽の該両側壁の内面間の寸法と一致するように載置すると共に、夫々の該矯正板の下面に突設した固定用部材を夫々対応する該正極ストラップの外側面及び該負極ストラップの外側面に係合せしめたことを特徴とする。
更に本発明は、請求項4に記載の密閉形鉛蓄電池において、夫々の矯正板の下面に突設した夫々の該固定用部材の下端から水平に突出せしめたリブを夫々対応する該正極ストラップの下面及び該負極ストラップの下面に臨ませたことを特徴とする。
【発明の効果】
【０００６】
請求項1,2,3,4に係る発明によれば、該固定部材により該矯正板の強度を向上できる一方、該固定部材を正極ストラップと負極ストラップと係合せしめたので、該矯正板を所定位置に固定した状態に保持することができ、これにより、該電槽の両側壁の内反りの矯正を確実に得られる。従って、蓋との位置合わせが常に確保されるので、ヒートシールによる密閉形鉛蓄電池が安定良好に得られる。
請求項5に係る発明によれば、該係止爪により該矯正板の上動を防止し、更に安定堅牢に所定位置での該両側壁の内反り矯正を確保することができる。
更に、請求項4に係る発明によれば、正極ストラップ上の矯正板と負極ストラップ上の矯正板は、夫々の固定用部材により、所定位置において、夫々の外端を夫々対応する側壁に当接させ、夫々の内反りを矯正できると共に、夫々の矯正板の上動を阻止し、更に強固な一固定効果をもたらす。
【図面の簡単な説明】
【０００７】
【図１】本発明の密閉形鉛蓄電池における実施形態の1例の製造過程である蓋を施される前の極板群を圧縮状態で収容した電槽の上面図である。
【図２】図1のA-A線で裁断し、1部を截除した縦断面図である。
【図３】本発明の他の実施形態の図2に類似の1部を切除した縦断面図である。
【図４】本発明の更に他の実施形態を示し、図4(a)は図2に類似の1部を截除した縦断面図、図4(b)はB-B線矢示方向から見た側面図である。
【図５】従来の密閉形鉛蓄電池における蓋を施される前の極板群を圧縮状態で収容した電槽の上面図である。
【発明を実施するための形態】
【０００８】
次に、本発明の実施形態例を添付図面を参照し以下に詳述する。
図1及び図2は、本発明の実施形態の1例を示し、図1は蓋を施され、且つ、ヒートシールにより密閉される前の密閉形鉛蓄電池の電槽の上面図、図2は、図1のA-A線裁断で且つ1部を截除した縦断面図を示す。
図1及び図2において、1は電槽A内に圧縮状態で収容された極板群を示す。該極板群1は、所定枚数の正極板1a,1a,…と所定枚数の負極板1b,1b,…をセパレータ1cを介して交互に積層して成る。その積層方向は図1の上下方向である。2aは全ての正極板1a,1a,…の1側に突出する図において左側に突出する耳1a1,1a1,…を連結した正極ストラップ、2bは、全ての負極板1b,1b,…の1側に突出する図において右側に突出する耳1b1,1b1,…を連結した負極ストラップ、3aは、該正極ストラップ2aに設けた正極柱、3bは、該負極ストラップ2bに設けた負極柱を示す。
【０００９】
本発明によれば、本発明の矯正部材として次のような構成のものを用意する。即ち、図1及び図2に示すように、該電槽A内に圧縮状態で収容された極板群1を所定の群圧で加圧挟持する図面で上下の対向側壁a1,a2に対し直交する左右の両側壁a3,a4の内面間の寸法と実質上同じ寸法を有する矯正板b1と該矯正板b1の下面の左右端から夫々下方に突設し且つ正極ストラップ2aとこれに対向する左側壁a3との間のスペース空間内及び負極ストラップ2bとこれに対向する右側壁a4との間のスペース空間内に夫々差し込んだとき、その夫々の対向面間で、即ち、対応する該正極ストラップ2aと該左側壁a3との間及び該負極ストラップ2bと該右側壁a4との間で挟圧されるに適した幅を有する断面方形の固定用部材b2,b2とから成る矯正部材Bを用意する。而して、該矯正部材Bの該矯正板b1を該正極ストラップ2aの上面及び該負極ストラップ2bの上面に載置すると共にその左右の該固定用部材b2,b2を夫々前記左右の空間内に差し込み、その夫々の対向面で挟持せしめることにより、左右の該固定用部材b2及びb2は、夫々対応する該正極ストラップ2a及び該負極ストラップ2bの外側面に常に係合しているので、該両側壁a3,a4の内反りの大きさが相異していても、即ち、内反りの大きい側壁a3又はa4による内反り力により該矯正板b1が押されて左又は右に移動することがなく、常に、所定位置に固定することができる。
また、該矯正部材Bは、該矯正板b1に該固定用部材b2,b2を具備するので、従来の矯正板b1のみに比し、強度が増大するので、該両側壁a3,a4の内反りの矯正を強固に維持することができる。かくして、常に電槽Aの該両側壁a3,a4を極板群1を収容する前の所定の直立状態を維持することができる。
従って、この状態から、その後、該電槽Aの開口上端の四周縁とこれに施される蓋(図示しない)の対向する下端四周下縁とは整合するので、常法により、両者のヒートシールを容易且つ確実に行うことができ、良好な密閉形鉛蓄電池が確実に得られる。
【００１０】
該矯正部材Bは耐酸性で且つ電気絶縁性を有する材質であれば良く、有機無機材料を問わないが、ポリプロピレンなどの各種の合成樹脂を材料とすることが一般であり、成形により容易且つ安価に得られる。
また、該矯正板b1は、図示のように適当に広幅の矩形状板とすることが一般であり、これを該電槽Aの該両側壁a3,a4の長さ方向の中央部に位置せしめることが好ましく一般であるが、これに限定されない。図示される矯正板b1は、長さ159mm、幅65mmで、その中間の薄い部分の肉厚は3mm、その左右端の固定用部材b2,b2を含む厚い部分の肉厚は11mmである。
【００１１】
尚、該矯正板b1の位置固定手段として、上記の固定手段に代え、仮想線で示すように、該矯正板b1の下面から一対のリブ状の固定用部材b2′,b2′を突設し、その左側の固定用部材b2′を該正極ストラップ2aの内側面に係合させ、その右側の固定用部材b2′を負極ストラップ2bの内側面に係合させるようにしてもよい。更に、リブ状の固定用部材b2′,b2′の下端に対応する各ストラップ2a,2b側へ突出し、各ストラップ2a,2b下面の一部に臨み係止する小突起(図示しない)を形成してもよい。
【００１２】
また、本発明の密閉形鉛蓄電池における要部である該矯正部材Bは、図3に示すように変形することができる。
図3は、図2に示すと同様の一部裁断側面図であるが、下記の点で相異する。即ち、図3に示す矯正部材Bの矯正板b1は先の図1に示すものと変わりがないが、該矯正板b1の下面の長さ方向の中間部に、該正,負極ストラップ2a,2b間のスペースと略同じ寸法を有し且つ所望の肉厚を有する固定用部材b2″を突設して成る矯正部材を用意する。
而して、該矯正部材Bの該矯正板b1を該正,負極ストラップ2a,2bの上面に載置すると共に、該固定用部材b2″を該正極ストラップ2aと該負極ストラップ2b間のスペース空間に差し込み、その一端を該正極ストラップ2aの内面と係合させ、その他端を該負極ストラップ2bと係合させることにより、該両側壁a3,a4のいずれか一方の大きな反り力により該矯正板b1が押され移動することがなく、その所定位置に固定されるので該両側壁a3,a4の所定の矯正を確実に行うことができる。
尚、図示の該固定用部材b2″は、その厚さを該正,負極ストラップ2a,2bと略同じ肉厚とし、その幅は、該矯正板b1の幅と同じとした全体として肉厚板状とすることにより、該矯正板b1の強度を増大せしめる効果をもたらす。しかし乍ら、その肉厚及び幅の寸法は、これに限定されない。
【００１３】
図4は、本発明の更に他の実施形態例を示し、図4(a)は図2に類似の図であり、図4(b)は図4(a)のB-B線の矢示方向を見た側面図である。図4に示す矯正部材は、次のようにセパレートタイプの矯正部材B1,B2に構成したものである。即ち、先の2つの実施形態例における電槽Aの両側壁a3,a4の内面間の寸法に差し渡される長矩形板から成る矯正板b1の中間部を切除し左右に分離したセパレートタイプの矯正板b11,b12と、その夫々の矯正板b11,b12に正,負極ストラップ2a,2bの夫々の外側面に係合するための固定用部材b21,b22を夫々の矯正板b11,b12の下面から突設せしめて成る矯正部材B1,B2に構成したものである。
かくして、その一方の該矯正部材B1,B2の夫々の該矯正板b11,b12の外端を電槽Aの両側壁a3,a4の内面に当接させた状態で夫々の対応する正極ストラップ2a、負極ストラップ2bの上面に夫々載置すると共に、その夫々の固定用部材b21,b22をその対応する正極ストラップ2aの外側面及び負極ストラップ2bの外側面に圧接係合させることにより、両側の該矯正部材B1及びB2の夫々の該矯正板b11及びb12の両端面間の寸法は、電槽Aの該両側面a3,a4の内面間と同じ寸法を保った状態で、該正極ストラップ2aの上面及び該負極ストラップ2bの上面の所定位置に固定される。従って、該矯正部材B1の該矯正板b11により対向する側壁a3の矯正を確保し得られると共に、該矯正部材B2の該矯正板b12によりその対応する側壁a4の矯正を確保し得られる。かくして、矯正させた該電槽に対し、蓋との位置の整合が得られ、従って、両者の良好なヒートシールを容易且つ確実に行うことができる。
【００１４】
これらの実施形態例において、これらの所望の矯正部材の該正極ストラップ及び該負極ストラップへの設置は、極板群を電槽へ収容する前に行い、夫々の矯正部材を手又は所望の器具で上から押さえ乍ら極板群を電槽内に圧縮状態で収容するようにし、両側壁の内反りを収容と同時に矯正するようにしてもよく、或いは、極板群を電槽内に収容した後、電槽の内反りしている両側壁を手などにより外側へ押し拡げ乍ら、所望の矯正部材を該正極ストラップ及び該負極ストラップに設置することにより、両側壁の内反りを矯正するようにしてもよい。
【００１５】
尚、図4に示す実施形態例において、該固定用部材b21,b22をリブ状とすると共に、その夫々の下面から水平に突出せしめたリブc1,c2の夫々を該正極ストラップ2aの下面及び該負極ストラップ2bの下面に臨ませるようにし、これにより、該矯正板b11,b12の上動を阻止し、左右の該矯正部材B1,B2の該矯正板b11,b12の所定位置の固定を更に強固にすることができる。
而して、図4(a)及び図4(b)に示すように、夫々の水平リブC1,C2は、耳間に挿入される櫛歯状に形成することが一般である。
尚、該水平リブC1及びC2の夫々を図4(a)で該正極ストラップ2a及び該負極ストラップ2bの下面の幅と同じ幅を有するものに形成したが、夫々の下面の1部に臨むものとして、該矯正板b11,b12の上動を阻止することができることは言うまでもない。
【００１６】
上記では、本発明の実施形態を電槽内に極板群を収容し、夫々の正極ストラップ及び負極ストラップに正極柱及び負極柱を設けて成る1つのセルから成る密閉形鉛蓄電池について説明したが、電槽内に少なくとも1つの仕切壁により形成した複数のセル室内に極板群を収容して成る密閉形鉛蓄電池にも適用できることは勿論である。
【符号の説明】
【００１７】
1  極板群
1a  正極板
1a1  正極板の耳
1b  負極板
1b1  負極板の耳
1c  セパレータ
2a  正極ストラップ
2b  負極ストラップ
A  電槽
a1,a2,a3,a4  電槽の側壁
B,B1,B2  矯正部材
b1,b11,b22  矯正板
b2,b2′,b2″,b21,b22  固定用部材
c1,c2  水平リブ
【図１】
0005620682.tif 000002
【図２】
0005620682.tif 000003
【図３】
0005620682.tif 000004
【図４】
0005620682.tif 000005
【図５】
0005620682.tif 000006